(57)【要約】【課題】器具本体とカバーとの連結部分が破損した場合であっても、器具本体及びカバーの落下を防止することができる照明器具を提供する。【解決手段】照明器具Ａは、道路際に設置されたポールのアームに取り付けられ、ポール周囲を照明領域に設定されている。照明器具Ａは、器具本体１０及びカバー２０からなりランプ３を収容するハウジング１と、器具本体１０とアームを結ぶワイヤー４と、器具本体１０とカバー２０を結ぶワイヤー５を備える。カバー２０は、ポール側の端部にヒンジ１４を介して器具本体１０に連結され、反対側の端部に設けられたラッチ２４により器具本体１０に係止される。衝撃によって、ラッチ２４やヒンジ１４が破損した場合であっても、カバー２０はワイヤー５を介して器具本体１０に保持され、カバー２０が落下することを抑制される。【選択図】図１
2012113910.tif 000002
【特許請求の範囲】
【請求項１】
支持部材に支持され一側面に開口部を有する器具本体と、
前記開口部を覆うようにして前記器具本体に取り付けられ、前記器具本体とともに収容空間を形成するカバーと、
前記収容空間に収容される光源と、
可撓性を有し、一端が前記器具本体に取り付けられ、他端が前記支持部材に取り付けられる第１落下防止部材と、
可撓性を有し、一端が前記カバーに取り付けられ、他端が前記器具本体に取り付けられる第２落下防止部材とを備えることを特徴とする照明器具。
【請求項２】
前記第２落下防止部材は、前記第１落下防止部材に取り付けられることを特徴とする請求項１記載の照明器具。
【請求項３】
前記第２落下防止部材の前記カバー側の一端は、前記カバーにおいて、前記支持部材とは反対側の先端部に取り付けられることを特徴とする請求項１記載の照明器具。
【発明の詳細な説明】
【技術分野】
【０００１】
本発明は、照明器具に関するものである。
【背景技術】
【０００２】
従来、街路灯などの高所に取り付けられる照明器具においては、道路際に設置されたポールに取り付けられることが多く、このポールに車両が衝突するなどの衝撃が加わることで照明器具とポールとの接合部分が破損して、照明器具が落下する恐れがあった。
【０００３】
そこで、例えば特許文献１に記載された道路照明器具用落下防止装置のように、ポールなどの保持部材と照明器具の器具本体とをワイヤロープで繋ぐことで、照明器具の落下を抑制する落下防止構造が提案されている。
【先行技術文献】
【特許文献】
【０００４】
【特許文献１】実開昭６２−１６９４１１号公報
【発明の概要】
【発明が解決しようとする課題】
【０００５】
しかしながら、上述の街路灯などの照明器具は、ランプの交換等のメンテナンスを容易に行う為、器具本体の上方面を開口させ、この開口部を覆うようにカバーが取り付けられている。そのため、特許文献１に記載されたような落下防止構造をこの種の照明器具に適応した場合であっても、保持部材に車両が衝突した際の衝撃などによって、器具本体とカバーとの連結部分が破損するなどして、カバーが落下する可能性があった。
【０００６】
本発明は、上記事由に鑑みて為されたものであり、その目的とするところは、衝撃により器具本体とカバーとの連結部分が破損した場合であっても、器具本体及びカバーの落下を防止することができる照明器具を提供することにある。
【課題を解決するための手段】
【０００７】
上記目的を達成するために、本願の照明器具は、支持部材に支持され一側面に開口部を有する器具本体と、開口部を覆うようにして器具本体に取り付けられ、器具本体とともに収容空間を形成するカバーと、収容空間に収容される光源と、可撓性を有し、一端が器具本体に取り付けられ、他端が支持部材に取り付けられる第１落下防止部材と、可撓性を有し、一端がカバーに取り付けられ、他端が器具本体に取り付けられる第２落下防止部材とを備えることを特徴とする。
【０００８】
この照明器具において、第２落下防止部材は、第１落下防止部材に取り付けられることが好ましい。
【０００９】
また、この照明器具において、第２落下防止部材のカバー側の一端は、支持部材とは反対側の先端部に取り付けられることが好ましい。
【発明の効果】
【００１０】
本願の照明器具によれば、衝撃や腐食などによって照明器具とその保持部材との接合部分が破損した場合であっても、器具本体及びカバーの落下を防止することができる。
【図面の簡単な説明】
【００１１】
【図１】（ａ）は発明の実施の形態１にかかる照明器具のカバーを開放した状態で斜め上方から視た概略斜視図であり、（ｂ）はその要部を別の角度から視た概略斜視図である。
【図２】同照明器具のカバーを開放した状態で斜め下方から視た概略斜視図である。
【図３】同照明器具を下側から視た切り欠き下面図である。
【図４】同照明器具を示す側面図である。
【発明を実施するための形態】
【００１２】
以下に本発明の実施形態を図面に基づいて説明する。
【００１３】
（実施形態１）
以下に本実施形態を図１〜図３を用いて説明を行う。本実施の形態にかかる照明器具Ａは、例えば、道路際に設置された円筒状のポール（図示せず）の上方に取り付けられ、ポール周囲の路面を照明領域として設定される街路灯である。このポールは、路面に対して垂直に設置されたポール本体から、照明器具Ａを取り付けるための円筒状のアーム（図示せず）が路面に対して水平となるように設けられており、このアームに照明器具Ａが取り付けられている。
【００１４】
照明器具Ａは、図１（ａ）に示すように、器具本体１０及びカバー２０からなるハウジング１と、ハウジング１内に設けられた収容空間２に収容され照明器具Ａの光源となるランプ３とを備える。また照明器具Ａは、器具本体１０と上述のアームとを結ぶワイヤー４（第１落下防止部材）と、器具本体１０とカバー２０とを結ぶワイヤー５（第２落下防止部材）と、ワイヤー４と連結されるワイヤー６とを備える。このワイヤー４〜５は、可撓性を有し、大きな荷重に耐えることが可能なワイヤ部材であり、耐食特性の大きな材料により形成され、その両端にワイヤ部材をループさせた状態で接合させたループ部７が設けられている。なお、図１（ａ）及び図１（ｂ）はこの照明器具Ａのカバー２０を開放した状態を示し、図２及び図３は照明器具Ａのカバー２０を閉塞させた状態を示している。
【００１５】
器具本体１０は、例えばアルミニウムダイカストからなり、その表面には腐食防止のための塗装が施されている。器具本体１０は、その表面形状が楕円形で上下の壁面が開口した筒状の収納箱部１０ａと、アームに器具本体１０を保持させるためのアーム勘合部１０ｂにより構成される。
【００１６】
収納箱部１０ａの下方側の壁面の開口には、透明や半透明など透光性を有する樹脂やガラス部材からなり、ランプ３から照射された照射光を透過する透光板１１が取り付けられている。器具本体１０は、カバー２０が収納箱部１０ａの上面側の開口を覆うようにして取り付けられ、このカバー２０、収納箱部１０ａ、及び、透光板１１により収納空間２が形成される。
【００１７】
アーム勘合部１０ｂは、上述したアームの先端側に挿入可能な形状に形成されており、例えば、アームの外周よりも若干大きなサイズに内径が設定された円筒状に形成されている。照明器具Ａをアームに取り付けるには、アームの先端側にアーム勘合部１０ｂを挿入した状態で器具本体１０をアームに保持させ、例えば、アーム勘合部１０ｂの外側からネジ止めなどによって照明器具Ａをアームに固定する。
【００１８】
この収納箱部１０ａとアーム勘合部１０ｂとの間には、ランプ３が収容される収容空間２の防水性を向上させるため、収納箱部１０ａとアーム勘合部１０ｂとを仕切る仕切り１５が設けられている。この仕切り１５の中央部分には、ワイヤー４を通す為のスリット１５ａが設けられている。
【００１９】
また器具本体１０には、ワイヤー４一端のループ部７を取り付けるためのボス１６が設けられている。ボス１６は、器具本体１０を肉厚に形成してなり、平座金１６ａとボス１６との間にループ部７を挟んだ状態で、ネジ１６ｂにより平座金１６ａをボス１６にネジ止めすることでループ部７がボス１６に固定される。またボス１６は、取り付けられるワイヤー４が透光板１１にかからない位置に設けられ、本実施の形態においては、透光板１１の周縁部分でアーム勘合部１０ｂの近傍に設けられている。
【００２０】
カバー２０は、器具本体１０のアーム勘合部１０ｂ側（すなわち、ポール側）の端部にヒンジ１４を介して回転自在に連結され、上下方向に開閉自在な状態で器具本体１０に取り付けられている。またカバー２０は、反対側（器具本体１０のアーム勘合部１０ｂとは逆側）の端部にラッチ２４を備える。カバー２０を器具本体１０に対して閉塞した状態で、このラッチ２４を器具本体１０の端部に設けられた係止爪１２に係止することで、カバー２０の上下方向の開閉が抑制され、カバー２０が器具本体１０に固定される。
【００２１】
またカバー２０は、器具本体１０と同じくアルミニウムダイカストからなり、器具本体１０の上方側の開口全体を覆う形状に設定されている。またカバー２０の表面には、器具本体１０と同じく腐食防止のための塗装が施されている。
【００２２】
また、カバー２０は、ランプ３が装着されるランプソケット２１が設けられている。ランプソケット２１には、アーム及びポール内を通じて外部の点灯回路（図示せず）に接続された電線（図示せず）が接続され、この点灯回路から供給される点灯電力によりランプ３が点灯する。
【００２３】
カバー２０のランプソケット２１の周囲には、ランプ３から放射される光を透光板１１側に向けて反射させる反射板２２が形成されている。ランプ３から放射された光は、この反射板２２によってその配光が制御され、透光板１１を透過させてポール周囲など所望の領域を照明する。
【００２４】
またカバー２０には、ネジ孔（図示せず）を有するボス２５がランプソケット２１の近傍に設けられており、ワイヤー５のループ部７をこのボス２５に固定することで、ワイヤー５がカバー２０に取り付けられる。なお、本実施の形態では、ランプソケット２１をカバー２０に固定する為の取付金具２１ａを用いて、このボス２５にワイヤー５のループ部７を固定している（図１（ｂ）を参照）。
【００２５】
またカバー２０は、器具本体１０の仕切り１５と対向する部位において、この仕切り１５の端面と当接するように下方側に突出し、ランプ３が収容される収容空間２の防水性を向上させるための仕切り２３が設けられている。この仕切り２３は、その一部にワイヤー５を通す為のスリット２３ａが設けられている。
【００２６】
ワイヤー４の一端側のループ部７には、金属性のスクリュージョイント４ａが取り付けられ、アームの先端に設けられた取付金具（図示せず）に取り付けられる。またワイヤー４の他端側のループ部７は、上述のように器具本体１０のボス１６に固定される。これにより、器具本体１０は、ワイヤー４によりアームに繋がっており、アーム勘合部１０ｂが衝撃によって破損した場合であっても、器具本体１０が落下する可能性を低減することができる。
【００２７】
ワイヤー６は、器具本体１０のうち収容空間２を形成する内壁面に沿って配置されており、器具本体１０の先端側の内壁に設けられたボス１３、１３に両端のループ部７、７がそれぞれ取り付けられる。またワイヤー６は、ワイヤー４とともに金属性のスクリュージョイント４ｂに通されており、スクリュージョイント４ｂを介してワイヤー４とワイヤー６が連結されている。すなわち、ワイヤー６はワイヤー４を介してアームに繋がっており、例えば、器具本体１０の先端側が分断された場合であっても、器具本体１０の先端側が落下する可能性を低減することができる。
【００２８】
ワイヤー５の一端側のループ部７は、収容空間２外部のアーム勘合部１０ｂの近傍で、ワイヤー４に取り付けられ、ワイヤー４を介して器具本体１０に取り付けられている。また他端側のループ部７は、上述のようにカバー２３のボス２５に取り付けられる。これにより、カバー２０と器具本体１０はワイヤー５を介して繋げられる。
【００２９】
このようにして、ワイヤー４により器具本体１０がアームに繋げられ、ワイヤー５によりカバー２０が器具本体１０に繋げられる。すなわち、ポールなどに強い衝撃が加わり、器具本体１０のアーム勘合部１０ｂが破損した場合であっても、器具本体１０の落下を抑制することができるとともに、カバー２０もワイヤー５によって落下することを抑制することができる。
【００３０】
また、第１落下防止部材及び第２落下防止部材として、可撓性を有する各ワイヤー４、５を用いているので、ワイヤー４、５の配置を自由に設定でき、ランプ３からの照射光を遮蔽しない位置に取り付けることが容易に可能となる。なお、ワイヤー４、５の代わりとして、可撓性を有する板材を第１落下防止部材及び第２落下防止部材として用いても良い。
【００３１】
（実施の形態２）
本実施の形態にかかる照明器具Ａは、図４に示すように、カバー２０の前方側の先端付近、すなわち照明器具Ａがアームに取り付けられた状態におけるアームとは反対側の先端側にボス２５が設けられている。この点を除いては実施形態１と同様の構成であるので、共通する構成要素には同一の符号を付してその説明は省略する。
【００３２】
ワイヤー５は、カバー２０の内壁面に沿わせて配置され、上述のボス２５に一端側のループ部７が取り付けられている。なお本実施の形態では、図４に示すように、反射板２２とカバー２０の内壁面との隙間にワイヤー５を通すようにしている。
【００３３】
これにより、カバー２０の先端側にワイヤー５が取り付けられるので、カバー２０の先端側が破損して落下することを抑制することができる。また、内壁面に沿わせてワイヤー５を配置しているので、ワイヤー５がカバー２０の開閉の妨げとならず、ランプ３からの照射光を遮蔽することも防止することができる。
【符号の説明】
【００３４】
Ａ          照明器具
１          ハウジング
２          収容空間
３          ランプ
４          ワイヤー（第１落下防止部材）
５          ワイヤー（第２落下防止部材）
１０        器具本体
２０        カバー
【図１】
2012113910.tif 000003
【図２】
2012113910.tif 000004
【図３】
2012113910.tif 000005
【図４】
2012113910.tif 000006